(57)【特許請求の範囲】
【請求項１】
客から受けた注文に係る注文情報を入力する注文情報入力手段と、該注文情報を表示する情報表示手段と、前記注文情報を保存し管理する注文情報管理手段とを少なくとも具備する注文管理システムにおいて、
前記注文情報管理手段は、システム全体に係るシステム設定情報を記憶保存するとともに、前記注文情報入力手段との送受信時に、保存している前記システム設定情報を前記注文情報入力手段に対して転送して、前記注文入力手段が有するシステム設定情報保存手段にバックアップするように構成することを特長とする注文管理システム。
【請求項２】
前記注文情報入力手段が、システム設定情報表示要求を受けた場合には、バックアップされた前記システム設定情報を前記情報表示手段に表示可能に構成することを特徴とする請求項１に記載の注文管理システム。
【請求項３】
前記注文情報入力手段が、システム設定情報復旧要求を受けた場合には、バックアップされた前記システム設定情報を前記注文情報管理手段に転送して復旧可能に構成することを特徴とする請求項１または２に記載の注文管理システム。
【発明の詳細な説明】
【０００１】
【発明の属する技術分野】
本発明は、レストランあるいはホテル等の飲食店で、客が注文した商品やそれに付随する情報の管理に利用される注文管理システムに関し、特に注文管理システムのシステム設定情報のバックアップおよび復旧に係る技術に関する。
【０００２】
【従来の技術】
客から受けた注文に係る注文情報を入力する注文情報入力手段、注文情報を表示する情報表示手段、注文情報を注文管理装置へ転送する注文情報転送手段、注文情報を保存し管理する注文情報管理手段を具備する注文管理システムが知られている。このような注文管理システムでは、注文情報管理装置へシステム設定情報を保存することができる。
【０００３】
【発明が解決しようとする課題】
ところで、従来の注文管理システムでは、システム設定情報を保存している注文情報管理装置が故障して交換が必要になることも考えられる。システム設定情報を保存している注文情報管理装置が故障した場合、注文情報管理装置の交換時に注文情報管理装置内に保存されているシステム設定情報をバックアップする必要があるが、システム設定情報保存領域が故障した場合、システム設定情報をバックアップすることができない。
【０００４】
さらに、システム設定情報保存領域が故障し、システム設定情報をバックアップすることができない場合、注文情報管理装置のシステム設定を何も設定されていない状態から全て設定し直す必要がある。またさらに、システム設定情報保存領域が故障し、システム設定情報をバックアップすることができない場合、注文情報管理装置のシステム設定を元の通りに復旧させるには時間がかかる。または、システム設定情報保存領域が故障しシステム設定情報をバックアップすることができない場合、最悪の場合システム設定情報保存領域が故障する以前と同一の状態に設定し直すことはできない。
【０００５】
本発明の目的は、システム設定情報を保存している注文情報管理装置のシステム設定情報を注文情報入力装置にバックアップかつ表示することのできる、またシステム設定情報を保存している注文入力装置のシステム設定情報を注文情報管理装置へ復旧することのできる注文管理装置のシステム設定情報のバックアップおよび復旧および表示システムを提供することにある。
【０００６】
【課題を解決するための手段】
本発明は、注文情報を入力する注文情報入力手段、注文情報を表示する情報表示手段、注文情報を注文管理装置へ転送する注文情報転送手段、注文情報を保存し管理する注文情報管理手段を具備する注文管理システムにおいて、注文情報管理手段が保存しているシステム設定情報を注文情報管理手段と注文情報入力手段との間の注文情報転送手段を介し注文入力手段が有するシステム設定情報保存手段にバックアップ可能に形成されている注文管理システムである。
【０００７】
かかる発明では、注文情報が注文情報入力手段から注文情報管理手段へ転送された場合を含む任意のタイミングで、注文情報管理手段は、システム設定情報を注文情報入力手段へ転送する。したがって、注文情報入力手段はシステム設定情報をバックアップすることができる。しかも注文情報管理装置のシステム設定情報のバックアップは任意のタイミングで自動的に行われるためバックアップの動作を意識することがなく、かつ常に最新のシステム設定情報が注文情報入力手段にバックアップされる。
【０００８】
また、本発明は、前記注文情報入力手段が、システム設定情報表示要求を受けた場合にはバックアップされたシステム設定情報を前記情報表示手段に表示可能に形成されている注文管理システムである。
【０００９】
かかる発明では、注文情報入力手段が、システム設定情報表示要求を受けた場合には前記情報表示手段にバックアップされたシステム設定情報を表示する。したがって、注文情報入力手段にバックアップされているシステム設定情報の素性を視覚的に確認することができ、かつシステム設定情報の復旧時に誤ったシステム設定情報を復旧するといった復旧ミスを避けることができる。
【００１０】
さらにまた、本発明は、前記注文情報入力手段が、システム設定情報復旧要求を受けた場合には前記注文情報管理手段にバックアップされたシステム設定情報を復旧可能に形成されている注文管理システムである。
【００１１】
かかる発明では、前記注文情報入力手段が、システム設定情報復旧要求を受けた場合には前記注文情報管理手段にバックアップされたシステム設定情報を復旧する。したがって、システム設定情報を保存している注文情報管理装置が故障して交換が必要になった場合には、注文情報入力手段にバックアップされたシステム設定情報を完全な状態で復旧することができる、またさらにシステム設定情報保存領域が故障しシステム設定情報がバックアップできない状態で注文情報管理装置が交換された場合でも、注文情報入力手段にバックアップされたシステム設定情報を復旧することができる。
【００１２】
【発明の実施の形態】
以下、本発明の実施形態について図面を参照して説明する。
【００１３】
本注文管理装置のシステム設定情報のバックアップおよび復旧および表示システムは、図１に示す如く、注文情報転送手段１０１と、注文情報転送手段１０１に接続された注文情報管理手段１０２とを含み、注文情報入力手段１００で入力された注文情報について処理することができ、また、注文情報管理手段１０２に保存されたシステム設定情報について処理することができる。注文情報転送手段１０１は注文情報管理手段１０２に含まれる場合もある。また、注文情報入力手段１００は１台だけでなく複数台の場合もある。
【００１４】
注文情報入力手段１００は、図２に示す如く、ＣＰＵ２００、ＲＯＭ２０１、情報保存領域（ＲＡＭ／ＦＲＯＭ）２０２、インターフェース（Ｉ／Ｆ）２０３、キーボード（ＫＥＹ）２０４、表示装置（ＤＩＳＰ）２０５を含み、注文情報を入力するとともに注文情報管理手段１０２のシステム設定情報のバックアップ機能と、情報保存領域（ＲＡＭ／ＦＲＯＭ）２０２にバックアップされたシステム設定情報の表示機能を有する。情報保存領域（ＲＡＭ／ＦＲＯＭ）２０２内には、注文入力情報等保存領域２０６の他に、注文情報管理手段１０２のシステム設定情報バックアップ領域２０７が設けられている。
【００１５】
注文情報転送手段１０１は、図３に示す如く、インターフェース（Ｉ／Ｆ）３００を含み、注文情報入力手段１００の注文情報を注文情報管理手段１０２に転送する、または逆に注文情報管理手段１０２のシステム設定情報を注文情報入力手段１００に転送する機能を有する。注文情報転送手段１０１の転送方式は無線方式、有線方式を問わず何でもよい。
【００１６】
注文情報管理手段１０２は、図４に示す如く、ＣＰＵ４００、ＲＯＭ４０１、情報保存領域（ＲＡＭ／ＦＲＯＭ／ＨＤＤ）４０２、キーボード（ＫＥＹ）４０３、表示装置（ＤＩＳＰ）４０４を含み、注文情報を管理するとともに、システム設定情報を情報保存領域（ＲＡＭ／ＦＲＯＭ／ＨＤＤ）４０２に保存する機能を有する。情報保存領域（ＲＡＭ／ＦＲＯＭ／ＨＤＤ）４０２内には、注文情報等保存領域４０５の他に、システム設定情報保存領域４０６が設けられている。ここにおいて、注文情報入力手段１００は、キーボード（ＫＥＹ）２０４から注文情報が入力されると、注文入力情報保存手段（ＣＰＵ２００）が、これを情報保存領域（ＲＡＭ／ＦＲＯＭ）２０２内の注文入力情報等保存領域２０６へ保存する。
【００１７】
続いて、注文情報入力手段１００は、キーボード（ＫＥＹ）２０４から注文入力情報転送要求があると、注文入力情報を、注文情報転送手段１０１を介して、注文情報管理手段１０２へ転送する。この注文入力情報を受信した注文情報管理手段１０２では、注文情報保存手段（ＣＰＵ４００）が、これを情報保存領域（ＲＡＭ／ＦＲＯＭ／ＨＤＤ）４０２へ保存する。
【００１８】
またこのとき、注文情報管理手段１０２は、情報保存領域（ＲＡＭ／ＦＲＯＭ／ＨＤＤ）４０２内のシステム設定情報保存領域４０６に保存されているシステム設定情報を、注文情報転送手段１０１を介して、注文情報入力手段１００に転送する。このシステム設定情報を受信した注文情報入力手段１００では、システム設定情報保存手段（ＣＰＵ２００）が、これを情報保存領域（ＲＡＭ／ＦＲＯＭ）２０２内のシステム設定情報バックアップ領域２０７へバックアップする。
【００１９】
また、注文情報管理手段１０２にシステム設定情報バックアップキーを設けて、そのキーが押されると積極的に注文情報管理手段１０２の情報保存領域（ＲＡＭ／ＦＲＯＭ／ＨＤＤ）４０２内のシステム設定情報保存領域４０６に保存されたシステム設定情報を、注文情報入力手段１００へ転送しバックアップすることもできる。かくして、注文情報管理手段１０２の情報保存領域（ＲＡＭ／ＦＲＯＭ／ＨＤＤ）４０２内のシステム設定情報保存領域４０６にあるシステム設定情報を、注文情報入力手段１００の情報保存領域（ＲＡＭ／ＦＲＯＭ）２０２内の注文情報管理手段１０２のシステム設定情報バックアップ領域２０７へバックアップすることができる。
【００２０】
また、注文情報入力手段１００は、キーボード（ＫＥＹ）２０４からシステム設定情報表示要求があると、情報保存領域（ＲＡＭ／ＦＲＯＭ）２０２内のシステム設定情報バックアップ領域２０７にあるシステム設定情報を表示装置（ＤＩＳＰ）２０５へ表示する。かくして、注文情報入力手段１００の情報保存領域（ＲＡＭ／ＦＲＯＭ）２０２内のシステム設定情報バックアップ領域２０７にあるシステム設定情報の内容を視覚的に確認することができる。
【００２１】
ここで、注文情報管理手段１０２のシステム設定情報保存領域４０６が故障し注文情報管理装置を交換した場合には、注文情報入力手段１００は、キーボード（ＫＥＹ）２０４からシステム設定情報復旧要求があると、システム設定情報復旧手段により注文情報入力手段１００のシステム設定情報バックアップ領域２０７のシステム設定情報を、注文情報転送手段１０１を介して、注文情報管理手段１０２へ転送する。
【００２２】
このシステム設定情報を受信した注文情報管理手段１０２では、システム設定情報復旧手段（ＣＰＵ４００）が、これを情報保存領域（ＲＡＭ／ＦＲＯＭ／ＨＤＤ）４０２内のシステム設定情報保存領域４０６へ復旧する。かくして、注文情報入力手段１００の情報保存領域（ＲＡＭ／ＦＲＯＭ）２０２内のシステム設定情報バックアップ領域２０７にバックアップされたシステム設定情報を、注文情報管理手段１０２へ復旧することができる。
【００２３】
【発明の効果】
以上、説明したように、本発明によれば、注文情報管理手段が保存しているシステム設定情報を注文入力情報転送時に注文情報管理手段と注文情報入力手段との間の注文情報転送手段を介し注文入力手段が有するシステム設定情報保存手段にバックアップ可能に形成されている注文管理システムであるから、注文情報管理装置が故障し注文情報管理装置を交換する時に注文情報管理装置に保存されているシステム設定情報をバックアップする必要がなくなる。しかも、注文情報管理装置のシステム設定情報保存領域が故障しても、一度でも注文入力情報を注文情報管理手段に転送してさえいれば注文情報入力装置にシステム設定情報がバックアップされており、注文情報入力手段のシステム設定情報復旧機能により注文情報管理手段のシステム設定情報を復旧できるため、注文情報管理装置のシステム設定を一から設定し直す必要はなくなり、また、注文情報管理装置が故障する以前と同一の状態に設定をし直すことができる。したがって、確実にシステム設定情報を保存し、かつシステム設定情報の復旧にかかる時間を大幅に短くすることができる。
【００２４】
また、注文情報入力手段が、システム設定情報表示要求を受けた場合にはバックアップされたシステム設定情報を情報表示手段に表示可能に形成されている注文管理システムであるから、注文情報入力手段にバックアップされたシステム設定情報の内容を視覚的に確認することができ、かつ適切でないシステム設定情報を注文情報管理手段に復旧するといったミスを避けることができる。したがって、システム設定情報の復旧が確実に行え、また効率を大幅に向上できる。
【００２５】
更にまた、注文情報入力手段が、システム設定情報復旧要求を受けた場合には注文情報管理手段にバックアップされたシステム設定情報を復旧可能に形成されている注文管理システムであるから、注文情報管理装置を交換したときに確実に素早く、かつ交換された注文情報管理装置と同一の状態に設定をし直すことができる。したがって、システム設定情報の復旧効率を大幅に向上できる。
【図面の簡単な説明】
【図１】本発明の全体構成図である。
【図２】本発明の注文情報入力手段の構成を示すブロック図である。
【図３】本発明の注文情報転送手段の構成を示すブロック図である。
【図４】本発明の注文情報管理手段の構成を示すブロック図である。
【符号の説明】
１００  注文情報入力手段
１０１  注文情報転送手段
１０２  注文情報管理手段
２００  ＣＰＵ
２０１  ＲＯＭ
２０２  情報保存領域（ＲＡＭ／ＦＲＯＭ）
２０３  インターフェース
２０４  キーボード
２０５  表示装置
２０６  注文入力情報等保存領域
２０７  システム設定情報バックアップ領域
３００  インターフェース
４００  ＣＰＵ
４０１  ＲＯＭ
４０２  情報保存領域（ＲＡＭ／ＦＲＯＭ／ＨＤＤ）
４０３  キーボード
４０４  表示装置
４０５  注文情報等保存領域
４０６  システム設定情報保存領域
【図１】
0004024587.tif 000002
【図２】
0004024587.tif 000003
【図３】
0004024587.tif 000004
【図４】
0004024587.tif 000005